(57)【要約】【課題】簡単な構造で、安価な充電部保護カバーの取り付け構造を提供することを目的する。【解決手段】導電バー上に取り付け可能である固定台により、充電部保護カバーで充電部を施蓋することを特徴とし、簡単な構造で安価に充電部保護カバーを提供でき、充電部の配置に合わせて固定台の取り付け位置を変更することができ、主幹ブレーカと分岐ブレーカが直線状になくても充電部保護カバーが取り付けられ、作業中に誤って充電部に触れてしまうことがなく安全である。【選択図】図１
2008125167.tif 000002
【特許請求の範囲】
【請求項１】
主幹ブレーカや分岐ブレーカ等の各種電気機器を配置し、該電気機器間を導電バーで接続して成る分電盤の充電部を保護するための充電部保護カバーの取り付け構造であって、前記導電バー上に取り付け可能である固定台により、前記充電部保護カバーで前記充電部を施蓋することを特徴とする充電部保護カバーの取り付け構造。
【請求項２】
前記充電部保護カバーの取り付け構造であって、前記固定台には突起を設け、前記充電部保護カバーの位置決めを可能とすることを特徴とする請求項１に記載の前記充電部保護カバーの取り付け構造。
【発明の詳細な説明】
【技術分野】
【０００１】
本発明は、主幹ブレーカや分岐ブレーカ等の各種電気機器を配置し、電気機器間を導電バーで接続して成る分電盤の充電部を保護するための充電部保護カバーの取り付け構造に関するものである。
【背景技術】
【０００２】
従来、充電部の保護カバー３１は、充電部を支持する充電部支持台３２の先端に突起部３３を延設し、保護カバー３１に設けた開口３３に差し込んで引っ掛け、充電部を施蓋し保護していた。
【特許文献１】特開２００１−１４５２１６号公報
【発明の開示】
【発明が解決しようとする課題】
【０００３】
しかしながら、上記従来技術における充電部保護カバー３１の取り付け構造では、充電部保護カバー３１は充電部支持台３２に引っ掛けられているだけで固定されていないので、輸送時の振動や、人が不意に触れた場合に、充電部保護カバー３１が外れてしまう虞があり、取り扱いに注意が必要であった。また、充電部支持台３２の位置にしか充電部保護カバー３１が取り付けられないため、例えば、主幹ブレーカ３５と主幹導電バー３６が同一直線上にない場合には、充電部を保護することができなかった。
【課題を解決するための手段】
【０００４】
そこで本発明は、簡単な構造で、安価な充電部保護カバーの取り付け構造を提供することを目的とし、その構造は、導電バー上に取り付け可能である固定台により、充電部保護カバーで充電部を施蓋することを特徴とする。
【０００５】
また、固定台には突起を設け、充電部保護カバーの位置決めを可能とすることを特徴とする。
【発明の効果】
【０００６】
本発明に係る充電部保護カバーの取り付け構造は、導電バー上に取り付け可能である固定台により、充電部保護カバーで充電部を施蓋するため、固定台が、導電バーのどの位置にも取り付け可能であるため、分電盤の設置後でも充電部保護カバーの取り付けができる。また、主幹ブレーカと主幹導電バーの位置関係に関わらず、確実に充電部保護が行える。充電部保護カバーはねじ止めであるため、振動や人の接触、衝撃が加わっても脱落の虞がない。確実に充電部の保護ができるため、作業者が誤って充電部に触れてしまうといった事故を防ぐことができ、安全な分電盤を提供することができる。
【０００７】
また、固定台には突起を設け、前記充電部保護カバーの位置決めを可能とするため、充電部保護カバーの位置決めがなされ、充電部保護カバーのねじ止め作業が容易である。
【発明を実施するための最良の形態】
【０００８】
本発明に係る充電部保護カバーの取り付け構造を図１〜図４の添付図面に基いて説明する。
【０００９】
分電盤１は、主幹ブレーカ２や分岐ブレーカ３を配列し、ブレーカ間を導電バー４により接続して構成される。導電バー４が集まっている部分を充電部といい、通電中に誤って触れると感電事故を起こしたりする虞があるため、充電部の上部は充電部保護カバー５で施蓋する。
【００１０】
充電部を構成する導電バー４に固定台６をねじ止めする。固定台６には、固定台６を導電バー４に固定するための固定穴７と、充電部保護カバー５を取り付けるための取り付け穴８とを設ける。充電部保護カバー５には取り付け穴８に対向する挿通孔９を設ける。導電バーにも適宜取着孔１０が設けられる。
【００１１】
導電バー４上に固定台６を置き、固定穴７と取着孔１０とにそれぞれねじ１１を挿通し締め付け、固定台６を導電バー４に固定する。固定台６は導電バー４上の取着孔１０が設けられるどの位置にも取り付けることができる。
【００１２】
固定台６の上面に、充電部保護カバー５を載せ、挿通孔９と取り付け穴８とにそれぞれ固定ねじ１２を挿通し締め付け、ねじ止めにより充電部保護カバー５を固定台６に取り付け、分電盤１の充電部を施蓋する。ねじ止めにより充電部保護カバー５を確実に固定することで、振動や、人の軽い接触では充電部保護カバーが外れる虞がない。
【００１３】
図２〜図４に示すように、納められる機器の大きさによっては、機器をキャビネット内に配置した時、主幹ブレーカ２と主幹の導電バー４とが同一直線状にない場合、主幹ブレーカ２と主幹の導電バー４とを接続導電バー１３で接続するような場合でも、接続導電バー１３と主幹導電バー４とを、折曲形成や設置台を設けたりすることで、同じ高さにすると、同じ固定台６を用いて充電部保護カバー５を取り付けることが可能である。
【００１４】
充電部保護カバーは、施蓋する充電部の形状に合わせて適宜変更する。例えば、図１に示すように、主幹ブレーカ２から直線状に主幹導電バー４が接続されている場合には、直線形状の充電部保護カバー５を用いる。また、図２に示すように、主幹ブレーカ２から直線的に主幹導電バー４が接続されず、左右にずれた位置に配置されている場合には、接続導電バー１３と主幹導電バー４とを施蓋できるように、略Ｌ字状に形成された充電部保護カバー５を用いる。
【００１５】
固定台６のカバー支持部６ａの端部には突起６ｂを設ける。充電部保護カバー５には差し込み穴１４を設け、充電部保護カバー５を固定台６に載置するとき、この突起６ｂが差し込み穴１４に差し込まれることで、充電部保護カバー５の位置決めができ、充電部保護カバー５の固定台６へのねじ止め作業が容易にできる。
【産業上の利用可能性】
【００１６】
充電部保護カバーで充電部を保護し、さらにその上から配線覆いで被覆することも可能で、配線覆いを開放した状態での分電盤の点検や確認の際に誤って作業者が充電部に触れてしまうことを避けることができる。
【図面の簡単な説明】
【００１７】
【図１】本発明に係る分電盤充電部カバーを示す要部説明図である。
【図２】本発明に係る分電盤充電部カバーを示す要部説明図である。
【図３】図２における分電盤充電部カバーの正面図である。
【図４】図２における分電盤充電部カバーの断面図である。
【図５】従来の分電盤充電部カバーを示す説明図である。
【符号の説明】
【００１８】
１    分電盤
２    主幹ブレーカ
３    分岐ブレーカ
４    導電バー
５    充電部保護カバー
６    固定台
６ａ  カバー支持部
６ｂ  突起
７    固定穴
８    取り付け穴
９    挿通孔
１０  取着孔
１１  ねじ
１２  固定ねじ
１３  接続導電バー
【図１】
2008125167.tif 000003
【図２】
2008125167.tif 000004
【図３】
2008125167.tif 000005
【図４】
2008125167.tif 000006
【図５】
2008125167.tif 000007